【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  電子写真用トナー及び現像剤中の電荷制御剤として、粉末塗料材料、エレクトレット材料中の及び静電分離法における電荷向上剤としての、金属カルボキシレート及び金属スルホネートの使用であって、Ａ１が、
ａ）式（Ｉ）〜（ＶＩＩＩ）の酸、
【化１】
2000066453.tif 000001
［式中、
Ｒ１は炭素原子数１〜１８の直鎖又は分枝鎖アルキル基であり、
Ｒ２とＲ３は同一又は異なり、水素、Ｃ１−Ｃ８アルキル、（Ｃ１−Ｃ１８）ヒドロキシアルキレン、Ｃ６−Ｃ１０アリール、ヘテロアリール、ニトロ、シアノ、フルオロ、クロロ、ブロモ又はＣ１−Ｃ４アシルであり、アリールとヘテロアリールはカルボキシル、ヒドロキシル、Ｃ１−Ｃ４アルコキシ、Ｃ１−Ｃ４アルキル、Ｃ１−Ｃ４アシル、ハロゲン、ヒドロキシ（Ｃ１−Ｃ４）アルキル及びアミノの１〜３個の基で置換されていてもよい］
【化２】
2000066453.tif 000002
【化３】
2000066453.tif 000003
【化４】
2000066453.tif 000004
［式中、
Ｒ４、Ｒ５及びＲ６は同一又は異なり、水素、Ｃ１−Ｃ８アルキル、（Ｃ１−Ｃ１８）ヒドロキシアルキレン、Ｃ６−Ｃ１０アリール、ヘテロアリール、ニトロ、シアノ、フルオロ、クロロ、ブロモ又はＣ１−Ｃ４アシルであり、アリールとヘテロアリールはカルボキシル、ヒドロキシル、Ｃ１−Ｃ４アルコキシ、Ｃ１−Ｃ４アルキル、ハロゲン、ヒドロキシ（Ｃ１−Ｃ４）アルキル及びアミノの１〜３個の基で置換されていてもよく、
ｍは１、２又は３であり、
ｎは０、１又は２である］
ｂ）ヘテロ芳香族モノ又はジカルボン酸、
ｃ）ポリ（スチレンスルホン酸）、ポリ（アクリル酸）、ポリ（メタクリル酸）、ポリ（マレイン酸）、ポリ（アネトールスルホン酸）、ポリ（イタコン酸）、ポリ（硫酸ビニル）、ポリ（ビニルスルホン酸）、ポリ（アクリル酸−コ−マレイン酸）、ポリ（スチレンスルホン酸−コ−マレイン酸）、ポリ（エチレン−コ−アクリル酸）、ヘクトライト、ベントナイト、アルギン酸、ペクチン酸、κ−、λ−及びι−カラギーナン、キサンタン、アラビアゴム、デキストラン硫酸、カルボキシメチルデキストラン、カルボキシメチルセルロース、セルロース硫酸、澱粉硫酸、リグノスルホネート、カラヤゴム；ポリガラクツロン酸、ポリグルクロン酸、ポリグルロン酸、ポリマンヌロン酸及びそのコポリマー、コンドロイチン硫酸、ヘパリン、ヘパラン硫酸、ヒアルロン酸、デルマタン硫酸、ケラタン硫酸；並びに以下の官能基即ちカルボキシメチル及びカルボキシエチル、カルボキシプロピル、２−カルボキシビニル、２−ヒドロキシ−３−カルボキシプロピル、１，３−ジカルボキシイソプロピル、スルホメチル、２−スルホエチル、３−スルホプロピル、４−スルホブチル、５−スルホペンチル、２−ヒドロキシ−３−スルホプロピル、２，２−ジスルホエチル、２−カルボキシ−２−スルホエチル、マレイン酸、コハク酸、フタル酸、グルタル酸、芳香族及び脂肪族ジカルボン酸、キサントゲン酸、硫酸、リン酸、２，３−ジカルボキシ、Ｎ，Ｎ−ジ（ホスファトメチル）アミノエチル、Ｎ−アルキル−Ｎ−ホスファトメチルアミノエチルをもち、場合により更にメチル、エチル、プロピル、イソプロピル、２−ヒドロキシエチル、２−ヒドロキシプロピル及び２−ヒドロキシブチル基及び（Ｃ２−Ｃ１８）脂肪族カルボン酸とのエステルをも含んでいてもよい澱粉、アミロース、アミロペクチン、セルロース、グアラン、アラビアゴム、カラヤガム、グアーガム、プルラン、キサンタン、デキストラン、カードラン、ゲラン、カルビン、アガロース、キチン及びキトサンの誘導体と、
式（Ｘ）：
【化５】
2000066453.tif 000005
［式中、
ｎ＝５〜５×１０５であり、Ｒ１、Ｘ、Ａ及びＹは各々同一又は異なり、
Ｒ１＝Ｈ又はＣＨ３、
Ｘ＝Ｏ又はＮＨ、
Ａ＝直鎖又は分枝鎖（Ｃ１−Ｃ１８）アルキレン又はアリーレン、
Ｙ＝ＳＯ３、ＣＯＯ、Ｎ＋Ｒ３２−Ａ−ＣＯＯ、Ｎ＋Ｒ３２−Ａ−ＳＯ３−、Ｎ＋Ｒ３２−Ａ−ＰＯ（ＯＨ）Ｏ−であり、Ｒ３＝Ｃ１−Ｃ８アルキルである］の化合物、及び上記化合物のモノマーと種々の組成の下記モノマー即ちアクリル酸、メタクリル酸、アクリル酸アルキル（Ｃ１−Ｃ１８）エステル、メタクリル酸アルキル（Ｃ１−Ｃ１８）エステル、グリシジルメタクリレート、アクリルアミド、アクリロニトリル、メタクリロニトリル、エチレン、スチレン、α−メチルスチレン、スチレンスルホン酸、ブタジエン、ブテン、イソプレン、塩化ビニル、プロピレン、無水マレイン酸、マレイン酸、マレイン酸モノアルキル（Ｃ１−Ｃ１８）又はジアルキル（Ｃ１−Ｃ１８）エステル、アルキル（Ｃ１−Ｃ１８）ビニルエーテル、ビニルアルコール、酢酸ビニル、ビニルブチラール、ビニルイミダゾール、Ｎ−ビニル−２−カプロラクタム、Ｎ−ビニルピロリドン、モノ又はジアルキル化（Ｃ１−Ｃ３０）Ｎ−ビニルピロリドン、ビニルスルホン酸、ジアリルジメチルアンモニウムクロリド、塩化ビニリデン、ポリ（エチレングリコール）メタクリレート、ポリ（エチレングリコール）アクリレートの１種以上から構成されるコポリマー、
から構成される群から選択されるポリアニオン形成化合物、
ｄ）カルボキシル及び／又はスルホ含有ポリエステルであり、
Ａ２が、式（Ｉ）〜（ＶＩＩＩ）の酸、式（ＩＸ）：
【化６】
2000066453.tif 000006
（式中、Ｒ４及びＲ５は上記と同義である）の酸、又はヘテロ芳香族モノもしくはジカルボン酸であるとき、
前記金属カルボキシレート及び金属スルホネートが、酸Ａ１と酸Ａ２とを水性アルカリ媒体中で、又は酸Ａ１と酸Ａ２とのアルカリ金属塩を、水溶性金属塩と反応させるか、ｃ）又はｄ）に定義した酸Ａ１を式（Ｉ）〜（ＩＸ）に定義した酸Ａ２［但し、Ｒ１〜Ｒ６は上記意味に加え、（Ｃ１−Ｃ１８）アルコキシ、ヒドロキシル、アミノ、（Ｃ１−Ｃ１８）アルキルアミノ、ジ（Ｃ１−Ｃ１８）アルキルアミノ、（Ｃ１−Ｃ１８）アルキレン−ＮＲ７Ｒ８であり、Ｒ７及びＲ８は水素又はＣ１−Ｃ８アルキルである］と反応させることにより製造され、
金属のカチオンが２価又は３価である前記使用。
【請求項２】  金属カルボキシレート又は金属スルホネートが式（１）、（２）又は（２ａ）：
【化７】
2000066453.tif 000007
（式中、
Ａ１０は請求項１に定義した酸Ａ１の酸基であり、
Ａ２０は請求項１に定義した酸Ａ２の酸基であり、
Ａ３０はＡ１０又はＡ２０に定義した通りであり、
Ｍ２は２価金属カチオンであり、
Ｍ３は３価金属カチオンである）の化合物である請求項１に記載の使用。
【請求項３】  Ｍ２＋がＦｅ２＋、Ｚｎ２＋、Ｃｏ２＋、Ｎｉ２＋、Ｍｎ２＋、Ｃｕ２＋、Ｍｇ２＋、Ｃａ２＋、Ｓｒ２＋又はＢａ２＋である請求項１又は２に記載の使用。
【請求項４】  Ｍ３＋がＡｌ３＋、Ｆｅ３＋、Ｍｎ３＋又はＣｏ３＋である請求項１又は２に記載の使用。
【請求項５】  Ａ１が式：
【化８】
2000066453.tif 000008
【化９】
2000066453.tif 000009
【化１０】
2000066453.tif 000010
【化１１】
2000066453.tif 000011
の化合物、
ｃ）ポリ（メタクリル酸）、ポリ（スチレンスルホン酸）、ポリ（エチレンスルホン酸）、ポリ（スチレンスルホン酸−コ−マレイン酸１：１）、
ｄ）ｉ）がジカルボン酸又はスルホ基を含まないジカルボン酸の反応性誘導体であり、
ｉｉ）がヒドロキシル、カルボキシル又はヒドロキシルとカルボキシルを官能基とする２官能性芳香族、脂肪族又は脂環式スルホ化合物であり、
ｉｉｉ）が脂肪族、脂環式又は芳香族ジオール、ポリエーテルジオール又はポリカーボネートジオールであり、
ｉｖ）がヒドロキシル、カルボキシル又はヒドロキシルとカルボキシルを官能基とする多官能性化合物（官能価＞２）であり、
ｖ）がモノカルボン酸又はスルホ含有モノアルコールであるとき、
各成分ｉ）、ｉｉ）及びｉｉｉ）と所望によりｉｖ）と所望によりｖ）の反応生成物から構成されるポリエステルである請求項１から４のいずれか一項に記載の使用。
【請求項６】  Ａ２が式：
【化１２】
2000066453.tif 000012
【化１３】
2000066453.tif 000013
【化１４】
2000066453.tif 000014
の化合物である請求項１から５のいずれか一項に記載の使用。
【請求項７】  金属カルボキシレート又は金属スルホネートが式（１）又は（２ａ）中、Ａ１０が４−ｔｅｒｔ−ブチルベンゾエート、ポリ（エチレンスルホネート）、ポリ（メタクリレート）、ジフェニルジスルフィド２，２’−ジカルボキシレート又はポリ（スチレンスルホネート）であり、
Ａ２０が４−ｔｅｒｔ−ブチルベンゾエート、ジフェニルジスルフィド２，２’−ジカルボキシレート又はサリチレートであり、
Ｍ２＋がＺｎ２＋であり、
Ｍ３＋がＡｌ３＋である化合物である請求項２から６のいずれか一項に記載の使用。
【請求項８】  金属カルボキシレート又は金属スルホネートが、トリフェニルメタン、アンモニウム及びインモニウム化合物、イミニウム化合物、フッ素化アンモニウム及びフッ素化インモニウム化合物；ビスカチオン酸アミド；ポリマーアンモニウム化合物；ジアリルアンモニウム化合物；アリールスルフィド誘導体、フェノール誘導体；ホスホニウム化合物及びフッ素化ホスホニウム化合物；カリックス（ｎ）アレーン、環状結合オリゴ糖（シクロデキストリン）及びその誘導体、特に硼酸エステル誘導体、インターポリ電解質錯体；ポリエステル塩；ベンズイミダゾロン；アジン、チアジンもしくはオキサジン、又は金属アゾ錯体染料から構成される群から選択される付加電荷制御剤と併用される請求項１から７のいずれか一項に記載の使用。
【請求項９】  金属カルボキシレート又は金属スルホネートと場合により添加する付加電荷制御剤の総濃度が電子写真用トナー、現像剤、粉末塗料材料又はエレクトレット材料の混合物全体の０．０１〜５０重量％、好ましくは０．１〜５重量％である請求項１から８のいずれか一項に記載の使用。
【請求項１０】  トナーと慣用トナーバインダーの総重量を基にして０．０１〜５０重量％、好ましくは０．５〜２０重量％の総濃度で請求項１から７のいずれか一項に記載の金属カルボキシレート及び／又は金属スルホネートと、所望により請求項８に記載の１種以上の正又は負電荷制御剤を含む電子写真用トナー。
【請求項１１】  電子写真用トナーの総重量を基にして１〜１０重量％の着色剤、好ましくは２〜８重量％の着色剤を更に含む請求項１０に記載の電子写真用トナー。
【請求項１２】  粉末塗料材料と慣用粉末塗料バインダーの総重量を基にして０．０１〜５０重量％、好ましくは０．５〜２０重量％の総濃度で請求項１から７のいずれか一項に記載の金属カルボキシレート及び金属スルホネートと、所望により請求項８に記載の１種以上の正又は負電荷制御剤を含む粉末塗料材料。
【請求項１３】  粉末塗料材料の総重量を基にして１〜１０重量％の着色剤、好ましくは２〜８重量％の着色剤を更に含む請求項１２に記載の粉末塗料材料。